(57)【要約】【課題】頭皮に更に好適な頭皮ケア装置を提供する。【解決手段】頭皮ケア装置１は、突起１４をモータ１３の駆動力にて駆動させ、突起１４を頭皮に接触させて頭皮をケアするためのである。頭皮ケア装置１は、帯電微粒子水を噴霧させるための静電霧化装置３１を備える。【選択図】図１
2012066047.tif 000002
【特許請求の範囲】
【請求項１】
突起を駆動源の駆動力にて駆動させ、前記突起を頭皮に接触させて頭皮をケアするための頭皮ケア装置であって、
微細な液体、微細な個体、及びイオンの内の少なくとも１つの微細物質を生成して吐出口から噴霧させるための微細物質生成手段を備えたことを特徴とする頭皮ケア装置。
【請求項２】
請求項１に記載の頭皮ケア装置において、
前記微細物質生成手段は、帯電微粒子水を生成して噴霧させるための静電霧化装置を含むことを特徴とする頭皮ケア装置。
【請求項３】
請求項２に記載の頭皮ケア装置において、
前記帯電微粒子水を外部に吐出する吐出口には、前記帯電微粒子水を透過させるとともに外部からの水滴の侵入を防止するための膜が設けられたことを特徴とする頭皮ケア装置。
【請求項４】
請求項３に記載の頭皮ケア装置において、
前記膜の外表面が撥水性とされたことを特徴とする頭皮ケア装置。
【請求項５】
請求項３又は４に記載の頭皮ケア装置において、
前記膜の外表面に付着した水滴を除去するための水滴除去機構を備えたことを特徴とする頭皮ケア装置。
【請求項６】
請求項５に記載の頭皮ケア装置において、
前記静電霧化装置は、放電電極を冷却することで該放電電極に液体を供給する液体供給冷却手段を有するものであって、
前記水滴除去機構は、前記液体供給冷却手段の放熱部を冷却すべく該放熱部に向かって空気を送るための送風部と、前記放熱部を通過した空気を前記膜の外表面に向かって誘導する流路とを有することを特徴とする頭皮ケア装置。
【請求項７】
請求項５に記載の頭皮ケア装置において、
前記水滴除去機構は、前記膜を振動させるための振動発生手段を有することを特徴とする頭皮ケア装置。
【請求項８】
請求項１乃至７のいずれか１項に記載の頭皮ケア装置において、
前記微細物質生成手段は、微細金属を生成して噴霧させるための金属微粒子化装置を含むことを特徴とする頭皮ケア装置。
【請求項９】
請求項１乃至８のいずれか１項に記載の頭皮ケア装置において、
前記突起は前記吐出口からの距離が変化するように駆動されるものであって、その距離を検出するための距離検出手段と、
前記距離検出手段にて検出された検出距離に応じて前記微細物質の噴霧量を制御するための制御部と
を備えたことを特徴とする頭皮ケア装置。
【請求項１０】
請求項９に記載の頭皮ケア装置において、
前記距離検出手段にて検出された検出距離が最大のときの前記微細物質の目標噴霧量が最大に設定されたことを特徴とする頭皮ケア装置。
【請求項１１】
請求項９又は１０に記載の頭皮ケア装置において、
前記距離検出手段にて検出された検出距離が最小のときの前記微細物質の目標噴霧量が最小に設定されたことを特徴とする頭皮ケア装置。
【請求項１２】
請求項９に記載の頭皮ケア装置において、
前記距離検出手段にて検出された検出距離が遠いほど前記微細物質の目標噴霧量が多くなるように連続的又は段階的に設定されたことを特徴とする頭皮ケア装置。
【請求項１３】
請求項１０乃至１２のいずれか１項に記載の頭皮ケア装置において、
噴霧している前記微細物質の噴霧量を検出する噴霧量検出手段を備え、
前記制御部は、前記噴霧量検出手段にて検出された検出噴霧量が前記目標噴霧量に近づくように前記微細物質生成手段に供給するエネルギーを調整することを特徴とする頭皮ケア装置。
【請求項１４】
請求項９に記載の頭皮ケア装置において、
前記制御部は、前記距離検出手段にて検出された検出距離が予め設定した設定距離以上で前記微細物質生成手段に高いエネルギーを供給し、前記設定距離未満で微細物質生成手段に低いエネルギーを供給することを特徴とする頭皮ケア装置。
【請求項１５】
請求項９に記載の頭皮ケア装置において、
前記距離検出手段にて検出された検出距離が予め設定した設定距離以上のときの前記微細物質の目標噴霧量が最大に設定され、前記検出距離が前記設定距離未満のときの前記微細物質の目標噴霧量が０に設定されたことを特徴とする頭皮ケア装置。
【請求項１６】
請求項１５に記載の頭皮ケア装置において、
前記制御部は、前記検出距離が大きくなっていく場合は、前記設定距離よりも近く設定された供給開始設定距離で前記微細物質生成手段に高いエネルギーを供給し、前記検出距離が小さくなっていく場合は、前記設定距離で前記微細物質生成手段に供給するエネルギーを０にすることを特徴とする頭皮ケア装置。
【請求項１７】
請求項１５又は１６に記載の頭皮ケア装置において、
前記制御部は、前記検出距離が大きくなっていく場合は、前記微細物質生成手段へのエネルギーの供給の開始時、一時的に最高値のエネルギーを供給することを特徴とする頭皮ケア装置。
【請求項１８】
請求項１５又は１６に記載の頭皮ケア装置において、
前記制御部は、前記微細物質生成手段へのエネルギーの供給時、そのエネルギーの量を徐々に大きくしていくことを特徴とする頭皮ケア装置。
【請求項１９】
請求項１乃至１８のいずれか１項に記載の頭皮ケア装置において、
前記突起は、駆動されることで互いに遠ざかる動作と近づく動作を繰り返すように複数設けられ、
前記吐出口は、前記突起の突出方向から見て距離が変化する前記突起同士の間に配置されたことを特徴とする頭皮ケア装置。
【発明の詳細な説明】
【技術分野】
【０００１】
本発明は、例えば、頭皮の活性化や育毛を図るための頭皮ケア装置に関するものである。
【背景技術】
【０００２】
頭皮ケア装置としては、突起を駆動源の駆動力にて回転駆動させ、その突起を頭皮に接触させて頭皮をケアするものがある（例えば、特許文献１参照）。この頭皮ケア装置は、突起を頭皮に押し付けて該突起を回転駆動させることで、頭皮の洗浄効果やマッサージ効果等を得ることができる。
【先行技術文献】
【特許文献】
【０００３】
【特許文献１】特開平７−２１３３２８号公報
【発明の概要】
【発明が解決しようとする課題】
【０００４】
しかしながら、上記のような頭皮ケア装置では、単に物理的な刺激を頭皮に与えるだけであるため、例えば、洗浄効果やマッサージ効果の更なる向上を図ったもの等、頭皮に更に好適なものが望まれている。
【０００５】
本発明は、上記課題を解決するためになされたものであって、その目的は、頭皮に更に好適な頭皮ケア装置を提供することにある。
【課題を解決するための手段】
【０００６】
本発明の頭皮ケア装置は、突起を駆動源の駆動力にて駆動させ、前記突起を頭皮に接触させて頭皮をケアするための頭皮ケア装置であって、微細な液体、微細な個体、及びイオンの内の少なくとも１つの微細物質を生成して吐出口から噴霧させるための微細物質生成手段を備えたことを特徴とする。
【０００７】
この頭皮ケア装置においては、前記微細物質生成手段は、帯電微粒子水を生成して噴霧させるための静電霧化装置を含むことが好ましい。
この頭皮ケア装置においては、前記帯電微粒子水を外部に吐出する吐出口には、前記帯電微粒子水を透過させるとともに外部からの水滴の侵入を防止するための膜が設けられることが好ましい。
【０００８】
この頭皮ケア装置においては、前記膜の外表面が撥水性とされることが好ましい。
この頭皮ケア装置においては、前記膜の外表面に付着した水滴を除去するための水滴除去機構を備えることが好ましい。
【０００９】
この頭皮ケア装置においては、前記静電霧化装置は、放電電極を冷却することで該放電電極に液体を供給する液体供給冷却手段を有するものであって、前記水滴除去機構は、前記液体供給冷却手段の放熱部を冷却すべく該放熱部に向かって空気を送るための送風部と、前記放熱部を通過した空気を前記膜の外表面に向かって誘導する流路とを有することが好ましい。
【００１０】
この頭皮ケア装置においては、前記水滴除去機構は、前記膜を振動させるための振動発生手段を有することが好ましい。
この頭皮ケア装置においては、前記微細物質生成手段は、微細金属を生成して噴霧させるための金属微粒子化装置を含むことが好ましい。
【００１１】
この頭皮ケア装置においては、前記突起は前記吐出口からの距離が変化するように駆動されるものであって、その距離を検出するための距離検出手段と、前記距離検出手段にて検出された検出距離に応じて前記微細物質の噴霧量を制御するための制御部とを備えることが好ましい。
【００１２】
この頭皮ケア装置においては、前記距離検出手段にて検出された検出距離が最大のときの前記微細物質の目標噴霧量が最大に設定されることが好ましい。
この頭皮ケア装置においては、前記距離検出手段にて検出された検出距離が最小のときの前記微細物質の目標噴霧量が最小に設定されることが好ましい。
【００１３】
この頭皮ケア装置においては、前記距離検出手段にて検出された検出距離が遠いほど前記微細物質の目標噴霧量が多くなるように連続的又は段階的に設定されることが好ましい。
【００１４】
この頭皮ケア装置においては、噴霧している前記微細物質の噴霧量を検出する噴霧量検出手段を備え、前記制御部は、前記噴霧量検出手段にて検出された検出噴霧量が前記目標噴霧量に近づくように前記微細物質生成手段に供給するエネルギーを調整することが好ましい。
【００１５】
この頭皮ケア装置においては、前記制御部は、前記距離検出手段にて検出された検出距離が予め設定した設定距離以上で前記微細物質生成手段に高いエネルギーを供給し、前記設定距離未満で微細物質生成手段に低いエネルギーを供給することが好ましい。
【００１６】
この頭皮ケア装置においては、前記距離検出手段にて検出された検出距離が予め設定した設定距離以上のときの前記微細物質の目標噴霧量が最大に設定され、前記検出距離が前記設定距離未満のときの前記微細物質の目標噴霧量が０に設定されることが好ましい。
【００１７】
この頭皮ケア装置においては、前記制御部は、前記検出距離が大きくなっていく場合は、前記設定距離よりも近く設定された供給開始設定距離で前記微細物質生成手段に高いエネルギーを供給し、前記検出距離が小さくなっていく場合は、前記設定距離で前記微細物質生成手段に供給するエネルギーを０にすることが好ましい。
【００１８】
この頭皮ケア装置においては、前記制御部は、前記検出距離が大きくなっていく場合は、前記微細物質生成手段へのエネルギーの供給の開始時、一時的に最高値のエネルギーを供給することが好ましい。
【００１９】
この頭皮ケア装置においては、前記制御部は、前記微細物質生成手段へのエネルギーの供給時、そのエネルギーの量を徐々に大きくしていくことが好ましい。
この頭皮ケア装置においては、前記突起は、駆動されることで互いに遠ざかる動作と近づく動作を繰り返すように複数設けられ、前記吐出口は、前記突起の突出方向から見て距離が変化する前記突起同士の間に配置されることが好ましい。
【発明の効果】
【００２０】
本発明によれば、頭皮に更に好適な頭皮ケア装置を提供することができる。
【図面の簡単な説明】
【００２１】
【図１】第１の実施の形態における頭皮ケア装置の断面図。
【図２】第２の実施の形態における頭皮ケア装置の断面図。
【図３】第３の実施の形態における頭皮ケア装置の断面図。
【図４】第４の実施の形態における頭皮ケア装置の断面図。
【図５】第５の実施の形態における頭皮ケア装置の断面図。
【図６】第６の実施の形態における頭皮ケア装置の断面図。
【図７】第７の実施の形態における頭皮ケア装置の断面図。
【図８】第８の実施の形態における頭皮ケア装置の断面図。
【図９】第９の実施の形態における頭皮ケア装置の断面図。
【図１０】第１０の実施の形態における頭皮ケア装置の断面図。
【図１１】（ａ），（ｂ）第１０の実施の形態を説明するための特性図。
【図１２】第１１の実施の形態における頭皮ケア装置の断面図。
【図１３】（ａ）〜（ｇ）第１２の実施の形態を説明するための特性図。
【図１４】（ａ），（ｂ）第１３の実施の形態を説明するための特性図。
【図１５】（ａ）〜（ｃ）第１４の実施の形態を説明するための特性図。
【図１６】（ａ）〜（ｃ）第１５の実施の形態を説明するための特性図。
【図１７】（ａ）〜（ｅ）第１６の実施の形態を説明するための特性図。
【発明を実施するための形態】
【００２２】
（第１の実施の形態）
以下、本発明を具体化した第１の実施の形態を図１に従って説明する。
図１に示すように、本実施の形態の頭皮ケア装置１は、外観が略直方体状の本体ハウジング１１と、該本体ハウジング１１内に収容保持され、出力軸１２を回転駆動するための駆動源としてのモータ１３とを備える。又、頭皮ケア装置１は、本体ハウジング１１から突出した出力軸１２の先端に連結され、出力軸１２の回転に基づいて駆動される突起１４を有した施術子１５を備える。
【００２３】
本体ハウジング１１の側部には、使用者が頭皮ケア装置１をオンオフ操作するためのスイッチ１６が設けられている。
出力軸１２は、本体ハウジング１１の上部から先端側が外部に突出するように同本体ハウジング１１に軸受１７を介して回転可能に支持されている。又、出力軸１２において本体ハウジング１１内の基端側には、出力軸ギヤ１２ａが設けられている。
【００２４】
モータ１３は、回転軸１３ａを回転駆動可能なものであって、該回転軸１３ａの先端部には回転軸ギヤ１３ｂが設けられている。そして、モータ１３は、回転軸ギヤ１３ｂが前記出力軸ギヤ１２ａに噛合されるように本体ハウジング１１内に収容保持されることで、出力軸１２を回転駆動可能とされている。このモータ１３は本体ハウジング１１内に収容保持された電源部（バッテリー）１８に電気的に接続され、該電源部１８は前記スイッチ１６に電気的に接続されている。
【００２５】
施術子１５は、出力軸１２の中心である第１の軸Ｘ１からずれた第２の軸Ｘ２中心で出力軸１２に対して回転可能に設けられる回転部材２１と、前記第２の軸Ｘ２の周囲に配置されるように回転部材２１に設けられた複数の突起１４とを有する。尚、本実施の形態では、突起１４は、前記施術子１５に４つ（図１では、２つのみ図示する）設けられている。
【００２６】
詳しくは、出力軸１２の先端と施術子１５とは、回転板２２、回転支持部材２３及び軸受２４を介して連結されている。回転板２２は、円盤状に形成され、その中心孔２２ａに出力軸１２の先端が嵌入されて固定されている。回転支持部材２３は、略円柱状に形成されるとともに下端にフランジ部が形成され、その軸中心が出力軸１２の中心である第１の軸Ｘ１からずれた第２の軸Ｘ２中心となるように前記回転板２２上に固定されている。一方、施術子１５の回転部材２１は、略円盤状の円盤部２１ａと、円盤部２１ａの下面から筒状に延びる筒部２１ｂとを有する。そして、施術子１５は、その回転部材２１における筒部２１ｂの内周面が軸受２４を介して前記回転支持部材２３の外周面に回転可能に支持されている。又、突起１４は、エラストマー等の弾性部材よりなり、略円錐形状に形成され、本実施の形態では円盤部２１ａの上部に（第２の軸Ｘ２と平行に）上方に突出するように４つ固定されている。この施術子１５における４つの突起１４は、それぞれ前記第２の軸Ｘ２を中心として均等な距離に等角度（９０°）間隔に配置されている。
【００２７】
そして、本実施の形態の頭皮ケア装置１は、微細物質としての帯電微粒子水を生成して噴霧させるための微細物質生成手段としての静電霧化装置３１を備えている。詳しくは、本体ハウジング１１には、前記出力軸１２に沿って貫通する貫通部１１ａが形成され、その貫通部１１ａ内の中央に静電霧化装置３１が収容保持されている。尚、貫通部１１ａにおいて前記施術子１５が配置される側（図１中、上側）の開口端部は吐出口１１ｂとされ、その反対側の端部は吸入口１１ｃとされている。静電霧化装置３１は、放電電極３２と、放電電極３２の突出先端部３２ａから吐出口１１ｂ側に離間して配置される環状の対極板３３とを備える。又、本実施の形態の静電霧化装置３１は、放電電極３２の吸入口１１ｃ側の面に固定される液体供給冷却手段としてのペルチェ素子３４と、ペルチェ素子３４の吸入口１１ｃ側の面に固定される放熱部としての放熱フィン３５とを備える。そして、放電電極３２と対極板３３とペルチェ素子３４とは前記電源部１８にそれぞれ電気的に接続されている。
【００２８】
又、本体ハウジング１１の貫通部１１ａ内の前記吸入口１１ｃ側には、放熱フィン３５を冷却すべく該放熱フィン３５に向かって空気を送るための送風部（ファン）３６が収容保持されている。この送風部３６は、前記電源部１８と電気的に接続されている。尚、この送風部３６は、吸入口１１ｃ側の空気を、静電霧化装置３１（放熱フィン３５）を介して吐出口１１ｂ側に送るように設けられている。よって、送風部３６は、放電電極３２の周囲に新鮮な（水分を多く含む）空気を送る役目と、放電電極３２と対極板３３間で発生された帯電微粒子水を吐出口１１ｂから勢い良く吐出させる役目も担っている。又、吸入口１１ｃには、貫通部１１ａ内に取り込む空気の埃等を除去するためのフィルタ３７が設けられている。
【００２９】
このように構成された頭皮ケア装置１では、スイッチ１６が使用者によってオン操作されると、電源部１８からモータ１３に回転軸１３ａを回転駆動させるための駆動電流が供給される。又、電源部１８からペルチェ素子３４に電圧が掛けられるとともに、放電電極３２、対極板３３間に高電圧が印加される。又、電源部１８から送風部３６に図示しない送風ファンを回転駆動させるための駆動電流が供給される。
【００３０】
そして、モータ１３の回転軸１３ａが回転駆動されると、出力軸１２及び回転板２２が前記第１の軸Ｘ１を中心として一体回転する。又、このとき、回転支持部材２３及び施術子１５（その軸中心）が前記第１の軸Ｘ１を周回するように前記第１の軸Ｘ１を中心として回転する。そして、施術子１５の先端（突起１４）を頭皮に接触させると、突起１４の先端の動きに合わせて使用者の頭皮が動かされることになり、頭皮がケア（洗浄やマッサージ）されることになる。尚、施術子１５は、回転支持部材２３に対して（第２の軸Ｘ２中心で）回転可能に支持されている。よって、施術子１５は、負荷（突起１４に接触される頭皮との摩擦等）に応じて、例えば、第１の軸Ｘ１方向から見て第２の軸Ｘ２に対する突起１４の位置関係が変化しない状態を保ったまま（スライドするように）第１の軸Ｘ１中心に回転することが可能である。よって、負荷（頭皮や毛髪との摩擦等）によっては、各突起１４が第１の軸Ｘ１を中心として（それぞれがそれぞれの半径で）単純に回転する運動に基づいて施術子に毛髪が絡まってしまうといった現象を回避することができる。
【００３１】
又、ペルチェ素子３４に電圧が掛けられると放電電極３２が冷却されることで該放電電極３２に結露が発生して（空気中の水分が集められて）液体が供給される。そして、放電電極３２、対極板３３間に高電圧が印加されると、前記放電電極の液体を原材料として帯電微粒子水が発生されて吐出口１１ｂから噴霧されることになる。
【００３２】
又、送風部３６（その送風ファン）が駆動されると、放熱フィン３５に向かって空気（風）が送られ、放熱フィン３５が冷却される。又、この際、本実施の形態では、放電電極３２の周囲に新鮮な（水分を多く含む）空気が送られるとともに、発生された帯電微粒子水が吐出口１１ｂから勢い良く吐出されることになる。
【００３３】
次に、上記第１の実施の形態の特徴的な作用効果を以下に記載する。
（１）帯電微粒子水を噴霧させるための静電霧化装置３１を備え、帯電微粒子水は皮脂を分解する効果があるため、静電霧化装置３１を備えていない頭皮ケア装置に比べて、洗浄効果を高めることができる。又、帯電微粒子水が頭皮に付着することで頭皮に水分が補給されるため、静電霧化装置３１を備えていない頭皮ケア装置に比べて、マッサージ効果を高めることができる。即ち、突起１４による物理的な刺激と帯電微粒子水の作用とにより、洗浄効果及びマッサージ効果を高めることができる。
【００３４】
（第２の実施の形態）
以下、本発明を具体化した第２の実施の形態を図２に従って説明する。尚、第２の実施の形態において第１の実施の形態と同様の部分については、同様の符号を付す等してその詳細な説明を一部省略する。
【００３５】
本実施の形態では、上記第１の実施の形態の頭皮ケア装置１に、図２に示すように、微細金属を噴霧させるための金属微粒子化装置４１を追加している。
詳しくは、本体ハウジング１１には、施術子１５が配置される側（図２中、上側）に開口した収容部１１ｄが形成され、その収容部１１ｄ内に微細物質生成手段としての金属微粒子化装置４１が収容保持されている。金属微粒子化装置４１は、例えば、プラチナからなる特殊金属放電電極４２と、特殊金属放電電極４２の突出先端部４２ａから収容部１１ｄの開口側（吐出口側）に離間して配置される環状の対極板４３とを備える。そして、特殊金属放電電極４２と対極板４３とは前記電源部１８に電気的に接続されている。
【００３６】
このように構成された頭皮ケア装置１では、スイッチ１６が使用者によってオン操作されると、上記実施の形態で述べた作用に加えて、特殊金属放電電極４２、対極板４３間にも高電圧が印加される。すると、プラチナからなる特殊金属放電電極４２を原材料として微細物質（微細な個体）としてのプラチナの微細金属が発生されて噴霧されることになる。このように特殊金属放電電極４２（即ち微細金属）をプラチナからなるものとした場合、抗酸化作用及びＵＶプロテクト作用を頭皮に付与することができる。又、上記特殊金属放電電極４２は、他の金属からなるものとしてもよく、例えば、特殊金属放電電極４２（即ち微細金属）を銅や銀からなるものとした場合、除菌作用を頭皮に付与することができる。又、例えば、特殊金属放電電極４２（即ち微細金属）を亜鉛からなるものとした場合、ミネラルを頭皮に供給することができる。又、例えば、特殊金属放電電極４２（即ち微細金属）を鉄からなるものとした場合、鉄分を頭皮に供給することができる。
【００３７】
（第３の実施の形態）
以下、本発明を具体化した第３の実施の形態を図３に従って説明する。尚、第３の実施の形態において第１の実施の形態と同様の部分については、同様の符号を付す等してその詳細な説明を一部省略する。
【００３８】
本実施の形態では、上記第１の実施の形態の吐出口１１ｂに、図３に示すように、前記帯電微粒子水を透過させるとともに外部からの水滴（詳しくは水に限らない液体の滴）の侵入を防止するための膜５１を設けている。尚、この例（図３参照）では、前記出力軸１２や施術子１５等からなる組が一対設けられ、上記実施の形態に追加された出力軸１２（図３中、右側の出力軸１２）が、反転ギヤ５２を介して前記回転軸ギヤ１３ｂに駆動連結されている。又、この例（図３参照）の吸入口１１ｃには、上記実施の形態のフィルタ３７に換えて、膜５１と同様の膜５３が設けられている。
【００３９】
膜５１（５３）は、自身に多数形成された微細な孔の孔径が、帯電微粒子水の粒径が大きくとも５０ｎｍ程度であることから、５０ｎｍ〜１００ｎｍ程度とされている。尚、例えば孔径を１００ｎｍ以下の膜５１とすれば、１００ｎｍより大きい粒径の液体（例えば、浴室等で自然に発生する数千ｎｍの湯気等）の侵入を防止することができる。又、膜５１の孔径は、１００ｎｍ以下に限らず、自然に発生してしまう水滴の侵入を防止することができればよく、例えば３００ｎｍ以下や、５００ｎｍ以下等に変更してもよい。
【００４０】
又、膜５１（５３）の外表面は撥水性とされている。尚、この例の膜５１（５３）は、その外表面に撥水加工が施されることで外表面が撥水性とされているが、これに限定されず、膜自体が撥水性多孔質ＰＴＦＥからなるもの等として撥水性としてもよい。
【００４１】
このようにすると、吐出口１１ｂには、帯電微粒子水を透過させるとともに外部からの水滴の侵入を防止するための膜５１が設けられるため、浴室等で頭皮ケア装置１を使用しても、吐出口１１ｂの外部から静電霧化装置３１側に水滴が侵入することが防止される。よって、静電霧化装置３１に水滴が付着することが防止され、ひいては静電霧化装置３１にて安定して帯電微粒子水を生成させることができる。
【００４２】
又、膜５１の外表面が撥水性とされるため、膜５１の外表面に水滴が付着し難くなり、また、たとえ付着したとしても留まり難くなり、ひいては帯電微粒子水の吐出が阻害され難くなる。よって、安定して帯電微粒子水を吐出させることができる。
【００４３】
（第４の実施の形態）
以下、本発明を具体化した第４の実施の形態を図４に従って説明する。尚、第４の実施の形態において第３の実施の形態と同様の部分については、同様の符号を付す等してその詳細な説明を一部省略する。
【００４４】
本実施の形態では、上記第３の実施の形態（図３参照）の構成に、膜５１の外表面に付着した水滴を除去するための水滴除去機構を加えている。
詳しくは、この例（図４参照）の水滴除去機構６１は、放熱部としての前記放熱フィン３５を冷却すべく該放熱フィン３５に向かって空気を送るための前記送風部３６と、放熱フィン３５を通過した空気を膜５１の外表面に向かって誘導する流路６２とを有する。尚、この例では、前記貫通部１１ａの吸入口１１ｅが本体ハウジング１１の側面（図４中、右側面）に設けられ、吸入口１１ｅ（送風部３６）と、放熱フィン３５と、流路６２の導入部分とが（傾斜した）略一直線状に並ぶように配置されている。又、この例における流路６２の吐出開口部６２ａは、膜５１の外表面に沿って（図４中、左から右に）空気を送るように形成されている。
【００４５】
このようにすると、膜５１の外表面に付着した水滴を除去するための水滴除去機構６１を備えるため、帯電微粒子水の吐出が阻害され難くなる。又、水滴除去機構６１は、放熱フィン３５に空気を送るための送風部３６と、放熱フィン３５を通過した空気を膜５１の外表面に向かって誘導する流路６２とを有するため、送風部３６を放熱フィン３５の冷却に用いながら、温風にて水滴を除去することができる。即ち、送風部３６を放熱フィン３５の冷却用と膜５１の外表面に向かう風の発生用との共用としつつ、さらに放熱フィン３５の発熱を温風にするために利用して、効率良く膜５１の外表面に付着した水滴を除去することができる。
【００４６】
（第５の実施の形態）
以下、本発明を具体化した第５の実施の形態を図５に従って説明する。尚、第５の実施の形態において第３の実施の形態と略同様の部分については、同様の符号を付す等してその詳細な説明を一部省略する。
【００４７】
本実施の形態では、上記第３の実施の形態（図３参照）の構成に、膜５１の外表面に付着した水滴を除去するための水滴除去機構を加えている。
詳しくは、この例（図５参照）の水滴除去機構は、前記膜５１を振動させるための振動発生手段としての圧電素子７１を有する。より詳しくは、この例では、環状の圧電素子７１が前記貫通部１１ａの吐出口１１ｂに固定され、その中央孔を覆うように前記膜５１が固定されている。そして、圧電素子７１は前記電源部１８に電気的に接続されている。
【００４８】
このように構成された頭皮ケア装置１では、スイッチ１６が使用者によってオン操作されると、上記実施の形態で述べた作用に加えて、圧電素子７１に高周波電圧が印加される。すると、圧電素子７１が振動して膜５１も振動することになる。尚、圧電素子７１の振動（振動を発生させる高周波電圧）は、膜５１と共振するように設定することが望ましい。
【００４９】
このようにすると、水滴除去機構は、膜５１を振動させるための圧電素子７１（振動発生手段）を有するため、圧電素子７１による振動にて膜５１の外表面に付着した水滴を除去することができる。
【００５０】
又、上記水滴除去機構は、膜５１の外表面に付着した水滴を除去することができれば、上記第４及び第５の実施の形態（図４及び図５参照）以外の手段としてもよく、風、熱、振動等（それらを組み合わせたものも含む）を発生させる他の手段に変更してもよい。
【００５１】
（第６の実施の形態）
以下、本発明を具体化した第６の実施の形態を図６に従って説明する。尚、第６の実施の形態において上記各実施の形態と略同様の部分については、同様の符号を付す等してその詳細な説明を一部省略する。
【００５２】
本実施の形態では、突起１４を有した複数（この例では２つ）の施術子１５が、駆動されることで互いに遠ざかる動作と近づく動作を繰り返すように設けられている。そして、微細物質としての帯電微粒子水が噴霧される吐出口１１ｂは、突起１４の突出方向から見て距離が変化する突起１４（施術子１５）同士の間に配置されている。
【００５３】
詳しくは、この例（図６参照）では、２つの施術子１５が、それらの間に設けられた吐出口１１ｂから同時に遠ざかり且つ吐出口１１ｂに同時に近づくように、即ち、２つの施術子１５の突起１４にて吐出口１１ｂと対向する位置から毛髪が両方向（図６中、左右方向）に大きく掻き分けられ且つ掻き集められる（頭皮を摘む）ように設定されている。
【００５４】
尚、この例（図６参照）では、上記各実施の形態の回転支持部材２３が、前記第１の軸Ｘ１を軸中心とした略円柱状の外形を有する回転支持部材２３ａに変更されている。この回転支持部材２３ａは、前記回転部材２１を収容するように、即ち回転部材２１の側面（軸直交方向の周面）を覆うように形成されている。そして、この例（図６参照）では、上記各実施の形態とは異なり、出力軸１２が軸受１７を介して本体ハウジング１１に支持されず、回転支持部材２３ａの先端側（突起１４側）外周面が軸受１７を介して本体ハウジング１１に支持されている。
【００５５】
又、この例（図６参照）では、静電霧化装置３１が収容保持さる前記貫通部１１ａの吸入口１１ｆが本体ハウジング１１の側面（図６中、紙面奥側の面）に設けられている。
このように構成された第６の実施の形態では、例えば、互いに遠ざかった状態の突起１４（施術子１５）が毛髪を両方向に大きく掻き分けて頭皮が大きく露出した箇所に、距離が変化する突起１４（施術子１５）同士の間に配置された吐出口１１ｂから効果的に帯電微粒子水を噴霧することができる。
【００５６】
（第７の実施の形態）
以下、本発明を具体化した第７の実施の形態を図７に従って説明する。尚、第７の実施の形態において上記第２及び第６の実施の形態と略同様の部分については、同様の符号を付す等してその詳細な説明を一部省略する。
【００５７】
本実施の形態では、上記第６の実施の形態の静電霧化装置３１を、上記第２の実施の形態の金属微粒子化装置４１に変更している。尚、この変更に伴い前記貫通部１１ａは前記収容部１１ｄに変更されている。
【００５８】
このように構成された第７の実施の形態では、例えば、互いに遠ざかった状態の突起１４（施術子１５）が毛髪を両方向に大きく掻き分けて頭皮が大きく露出した箇所に効果的にプラチナの微細金属を噴霧することができる。尚、勿論、この微細金属（特殊金属放電電極４２）は、上記したようにプラチナ以外のものとしてもよく、例えば、銅や銀からなるものや亜鉛からなるものや鉄からなるものに変更してもよい。
【００５９】
（第８の実施の形態）
以下、本発明を具体化した第８の実施の形態を図８に従って説明する。尚、第８の実施の形態において上記第６の実施の形態と略同様の部分については、同様の符号を付す等してその詳細な説明を一部省略する。
【００６０】
本実施の形態では、上記第６の実施の形態の静電霧化装置３１を、微細物質としてのミストを生成して噴霧させるための微細物質生成手段としての液体霧化装置８１に変更している。尚、この変更に伴い前記貫通部１１ａは収容部１１ｇに変更されている。
【００６１】
詳しくは、収容部１１ｇ内には、前記液体霧化装置８１と、該液体霧化装置８１に水や、化粧品や、育毛剤等の液体を供給するための液体供給部８１ａとが収容保持されている。そして、液体霧化装置８１は前記電源部１８に電気的に接続されている。尚、液体霧化装置８１は、圧電素子からなる超音波霧化機やベンチュリー霧化機等である。
【００６２】
このように構成された頭皮ケア装置１では、スイッチ１６が使用者によってオン操作されると、上記実施の形態で述べた作用に加えて、液体霧化装置８１にも電圧が印加される。すると、水や、化粧品や、育毛剤等の液体を原材料とするミストが発生されて収容部１１ｇの開口（吐出口）から噴霧されることになる。
【００６３】
このように構成された第８の実施の形態では、前記液体を水とした場合、液体霧化装置８１を備えていない頭皮ケア装置に比べて、洗浄効果やマッサージ効果を高めることができる。又、前記ミストの温度が高温（収容部１１ｇの開口（吐出口）で４０°から８０°）となるように設定すれば、洗浄効果やマッサージ効果をより高めることができる。又、前記液体を化粧品や育毛剤等とした場合、それらの成分を頭皮に良好に付与することができる。
【００６４】
又、このように構成された第８の実施の形態では、例えば、互いに遠ざかった状態の突起１４（施術子１５）が毛髪を両方向に大きく掻き分けて頭皮が大きく露出した箇所に効果的に前記ミストを噴霧することができる。
【００６５】
（第９の実施の形態）
以下、本発明を具体化した第９の実施の形態を図９に従って説明する。尚、第９の実施の形態において上記第７の実施の形態と略同様の部分については、同様の符号を付す等してその詳細な説明を一部省略する。
【００６６】
本実施の形態では、上記第７の実施の形態の金属微粒子化装置４１を、微細物質としてのマイナスイオンを生成して噴霧させるための微細物質生成手段としてのマイナスイオン発生装置８２に変更している。このマイナスイオン発生装置８２は、前記金属微粒子化装置４１と略同様の構成であるが、微細金属が生成されるような構成及び設定（印可する高電圧の電圧値を含む設定）が考慮されておらず、前記特殊金属放電電極４２が単なる放電電極８２ａ（微細金属が生成されるか否かは考慮していない）とされている。
【００６７】
このように構成された頭皮ケア装置１では、スイッチ１６が使用者によってオン操作されると、上記実施の形態で述べた作用に加えて、マイナスイオン発生装置８２（放電電極８２ａ、対極板４３間）にも高電圧が印加される。すると、マイナスイオンが発生されて収容部１１ｄの開口（吐出口）から噴霧されることになる。このように構成された第９の実施の形態では、マイナスイオンを頭皮に付与することができる。
【００６８】
又、このように構成された第９の実施の形態では、例えば、互いに遠ざかった状態の突起１４（施術子１５）が毛髪を両方向に大きく掻き分けて頭皮が大きく露出した箇所に効果的に前記マイナスイオンを噴霧することができる。
【００６９】
（第１０の実施の形態）
以下、本発明を具体化した第１０の実施の形態を図１０及び図１１に従って説明する。尚、第１０の実施の形態において上記第６の実施の形態と略同様の部分については、同様の符号を付す等してその詳細な説明を一部省略する。
【００７０】
本実施の形態では、第６の実施の形態の構成に加えて、頭皮ケア装置１が、吐出口１１ｂから突起１４（施術子１５）までの距離を検出するための距離検出手段としての距離検出部８３と、該距離検出部８３にて検出された検出距離に応じて帯電微粒子水（微細物質）の噴霧量を制御するための制御部８４とを備える。この例の距離検出部８３は、前記距離に対応した出力軸１２の回転角度を検出可能なロータリーエンコーダよりなる。尚、勿論、距離検出部８３の構成はロータリーエンコーダ以外の他のセンサ等に変更してもよい。距離検出部８３は、制御部８４に電気的に接続され、前記静電霧化装置３１（放電電極３２と対極板３３とペルチェ素子３４）及び送風部（ファン）３６は制御部８４を介して前記電源部１８に電気的に接続されている。
【００７１】
そして、本実施の形態の制御部８４は、距離検出部８３にて検出された検出距離（図１１（ａ）参照）に応じて静電霧化装置３１（放電電極３２、対極板３３間）に印可する高電圧の値や送風部３６に供給する駆動電流の値を制御して、帯電微粒子水（微細物質）の噴霧量（図１１（ｂ）参照）を制御する。本実施の形態では、図１１に示すように、前記検出距離が最大のときの前記帯電微粒子水（微細物質）の目標噴霧量が最大に設定されている。又、本実施の形態では、前記検出距離が最小のときの前記帯電微粒子水（微細物質）の目標噴霧量が最小に設定されている。又、本実施の形態では、前記検出距離が遠いほど前記帯電微粒子水（微細物質）の目標噴霧量が多くなるように連続的に設定されている。言い換えると、本実施の形態では、目標噴霧量が検出距離と比例するように設定されている。尚、この例では、連続的としたが、前記検出距離が遠いほど前記帯電微粒子水（微細物質）の目標噴霧量が多くなるように段階的に設定してもよい。
【００７２】
このように構成された頭皮ケア装置１では、スイッチ１６が使用者によってオン操作されると、上記したように施術子１５（突起１４）が駆動されるとともに、図１１に示すように、吐出口１１ｂから突起１４（施術子１５）までの距離（検出距離）に応じて帯電微粒子水（微細物質）の噴霧量が制御される。よって、突起１４とともに移動する毛髪の位置に応じて該毛髪の奥の頭皮に効果的に帯電微粒子水（微細物質）を噴霧することが可能となる。そして、本実施の形態では、検出距離が最大のときの前記帯電微粒子水（微細物質）の目標噴霧量が最大に設定されるため、突起１４が毛髪を最大限掻き分け（前記吐出口１１ｂから最大限遠ざけ）て頭皮が露出したときに効果的に帯電微粒子水（微細物質）を噴霧することができる。又、検出距離が最小のときの前記帯電微粒子水（微細物質）の目標噴霧量が最小に設定されるため、突起１４が毛髪を最も掻き集め（前記吐出口１１ｂに最大限近づけ）て頭皮が覆われたときは帯電微粒子水（微細物質）の噴霧量を略最小として無駄（例えば、静電霧化装置３１に供給するエネルギー（電力）の無駄）を低減することができる。又、検出距離が遠いほど帯電微粒子水（微細物質）の目標噴霧量が多くなるように連続的に設定されるため、より細やかに効果的に帯電微粒子水（微細物質）を噴霧することができるとともに、無駄を低減することができる。
【００７３】
（第１１の実施の形態）
以下、本発明を具体化した第１１の実施の形態を図１２に従って説明する。尚、第１１の実施の形態において上記第１０の実施の形態と略同様の部分については、同様の符号を付す等してその詳細な説明を一部省略する。
【００７４】
本実施の形態では、第１０の実施の形態の構成に加えて、頭皮ケア装置１が、噴霧している帯電微粒子水（微細物質）の噴霧量を検出する噴霧量検出手段としての噴霧量検出部８５を備える。噴霧量検出部８５は、前記吐出口１１ｂに設けられるとともに、前記制御部８４に電気的に接続され、検出した帯電微粒子水の検出噴霧量に応じた信号を制御部８４に出力する。
【００７５】
そして、本実施の形態の制御部８４は、前記検出噴霧量が前記目標噴霧量（図１１（ｂ）参照）に近づくように静電霧化装置３１に供給するエネルギー（電力）を調整する。即ち、実際に噴霧された帯電微粒子水（微細物質）の噴霧量は、制御部８４にフィードバックされて、目標噴霧量に近づくようにフィードバック制御される。
【００７６】
このように構成された頭皮ケア装置１では、例えば、単に距離検出部８３にて検出された検出距離のみに応じて前記エネルギーを供給する場合（上記第１０の実施の形態）に比べて、より高精度に安定して目標噴霧量に近い帯電微粒子水（微細物質）を噴霧させることができる。
【００７７】
（第１２の実施の形態）
以下、本発明を具体化した第１２の実施の形態を図１３に従って説明する。第１２の実施の形態の頭皮ケア装置１の機械的な構成は、上記第１０の実施の形態の頭皮ケア装置１（図１０参照）と同じである。
【００７８】
そして、本実施の形態の制御部８４は、上記第１０の実施の形態とは異なり、前記距離検出部８３にて検出された検出距離（図１３（ｅ）参照）が予め設定した設定距離以上で静電霧化装置３１に高い（一定の）エネルギー（電力）を供給し（図１３（ｆ）参照）、前記設定距離未満で静電霧化装置３１に低い（一定の）エネルギーを供給する。尚、本実施の形態の前記設定距離は、前記吐出口１１ｂに対して前記施術子１５（突起１４）が移動する範囲の中間位置（丁度半分の位置）に設定されている。
【００７９】
このように構成された頭皮ケア装置１では、制御部８４は、検出距離が予め設定した設定距離以上（図１３（ｅ）中、太線で示す範囲）で静電霧化装置３１に高いエネルギーを供給するため、突起１４が毛髪を掻き分け（前記吐出口１１ｂから遠ざけ）て頭皮が露出したときに効果的に帯電微粒子水（微細物質）を噴霧することができる。又、制御部８４は、前記設定距離未満で静電霧化装置３１に低いエネルギーを供給するため、突起１４が毛髪を掻き集め（前記吐出口１１ｂに近づけ）て頭皮が覆われたときは帯電微粒子水（微細物質）の噴霧量を少なくして無駄（静電霧化装置３１に供給するエネルギー（電力）の無駄）を低減することができる。
【００８０】
しかも、設定距離未満でも静電霧化装置３１に低いエネルギーを供給するので、検出距離が前記設定距離以上となったときに帯電微粒子水（微細物質）の噴霧量を略最大まで短時間で増やすことができ、効果的に帯電微粒子水（微細物質）を噴霧する時間を高精度に制御することができる。即ち、前記設定距離未満で静電霧化装置３１に供給するエネルギー（電力）を０とすると、図１３（ｃ），（ｄ）に示すように、検出距離が前記設定距離以上となったときに供給するエネルギー（電力）を高い値としても帯電微粒子水（微細物質）の噴霧量を略最大まで増やす時間が長時間（図１３（ｄ）中、時間Ｔ１）となってしまう。これに対して、前記設定距離未満でも低いエネルギー（電力）を供給しておき、図１３（ａ），（ｂ）に示すように、検出距離が前記設定距離以上となったときに供給するエネルギー（電力）を高い値に変更するようにすれば、帯電微粒子水（微細物質）の噴霧量が略最大まで増える時間は短時間（図１３（ｂ）中、時間Ｔ２）で済むことになる。よって、図１３（ｇ）に示すように、検出距離が前記設定距離以上となってから短時間（図中、時間Ｔ２）で実際の噴霧量を略最大とすることができ、頭皮に効果的に帯電微粒子水（微細物質）を噴霧することができる。
【００８１】
（第１３の実施の形態）
以下、本発明を具体化した第１３の実施の形態を図１４に従って説明する。第１３の実施の形態の頭皮ケア装置１の機械的な構成は、上記第１０の実施の形態の頭皮ケア装置１と同じである。
【００８２】
そして、本実施の形態の制御部８４は、上記第１０の実施の形態とは異なり、前記距離検出部８３にて検出された検出距離（図１４（ａ）参照）が予め設定した設定距離以上のときの帯電微粒子水（微細物質）の目標噴霧量（図１４（ｂ）参照）が最大（一定）に設定されている。又、前記検出距離が前記設定距離未満のときの帯電微粒子水（微細物質）の目標噴霧量が０に設定されている。尚、本実施の形態の前記設定距離は、前記吐出口１１ｂに対して前記施術子１５（突起１４）が移動する範囲の中間位置（丁度半分の位置）に設定されている。
【００８３】
このように構成された頭皮ケア装置１では、検出距離が予め設定した設定距離以上のときの帯電微粒子水（微細物質）の目標噴霧量が最大に設定されるため、前記突起１４が毛髪を掻き分け（前記吐出口１１ｂから遠ざけ）て頭皮が露出したときに効果的に帯電微粒子水（微細物質）を噴霧することができる。又、検出距離が前記設定距離未満のときの帯電微粒子水（微細物質）の目標噴霧量が０に設定されるため、前記突起１４が毛髪を掻き集め（前記吐出口１１ｂに近づけ）て頭皮が覆われたときは帯電微粒子水（微細物質）の噴霧量を略最小（０）として無駄（例えば、静電霧化装置３１に供給するエネルギー（電力）の無駄）を低減することができる。
【００８４】
（第１４の実施の形態）
以下、本発明を具体化した第１４の実施の形態を図１５に従って説明する。第１４の実施の形態の頭皮ケア装置１の機械的な構成は、上記第１０の実施の形態の頭皮ケア装置１と同じである。
【００８５】
そして、本実施の形態の制御部８４は、具体的且つ容易に上記第１３の実施の形態の目標噴霧量（図１４（ｂ）参照）に近い噴霧量となるように静電霧化装置３１に供給するエネルギー（電力）を制御するものである。詳しくは、制御部８４は、図１５（ａ），（ｂ）に示すように、前記検出距離が大きくなっていく場合は、前記設定距離よりも近く（小さく）設定された供給開始設定距離で静電霧化装置３１に高い（一定の）エネルギー（電力）を供給する。又、制御部８４は、前記検出距離が小さくなっていく場合は、前記設定距離で静電霧化装置３１に供給するエネルギーを０にする。尚、本実施の形態では、供給開始設定距離は、前記設定距離に到達したときに噴霧量（図１５（ｃ）参照）が略最大となるように予め設定されている。言い換えると、供給開始設定距離は、供給するエネルギーが０の状態から高いエネルギーを供給した際に噴霧量が略最大となる時間（図１３（ｄ）中、時間Ｔ１）分だけ前記設定距離に到達する時間から遡った時間と対応した距離に設定されている。
【００８６】
このように構成された頭皮ケア装置１では、制御部８４は、前記検出距離が大きくなっていく場合は、前記設定距離よりも近く（小さく）設定された供給開始設定距離で静電霧化装置３１に高いエネルギーを供給するため、前記設定距離となったときの実際の噴霧量（図１５（ｃ）参照）を目標噴霧量である最大に近づけることができる。言い換えると、例えば、検出距離が前記設定距離となったときに静電霧化装置３１に高い（一定の）エネルギーを供給し始めても、実際に噴霧量が略最大となるのは設定距離よりも遠ざかった（時間的に前記時間Ｔ１遅れた）ときになってしまうが、これを解消して、設定距離となったときの噴霧量を高精度に最大の目標噴霧量に近づけることができる。尚、前記検出距離が小さくなっていく場合は、前記設定距離で静電霧化装置３１に供給するエネルギーを０にするため、前記設定距離以上では噴霧量が略最大で維持され、設定距離未満となったときは噴霧量が速やかに略最小（０）となる。よって、具体的に上記第１３の実施の形態の効果と同様の効果を得ることができる。
【００８７】
（第１５の実施の形態）
以下、本発明を具体化した第１５の実施の形態を図１６に従って説明する。第１５の実施の形態の頭皮ケア装置１の機械的な構成は、上記第１０の実施の形態の頭皮ケア装置１と同じである。
【００８８】
そして、本実施の形態の制御部８４は、具体的且つ容易に上記第１３の実施の形態の目標噴霧量に近い噴霧量となるように静電霧化装置３１に供給するエネルギー（電力）を制御するものである。詳しくは、制御部８４は、図１６（ａ），（ｂ）に示すように、前記検出距離が大きくなっていく場合は、前記静電霧化装置３１へのエネルギーの供給の開始時、一時的に（例えば、０．４秒から２秒間）最高値（静電霧化装置３１の許容値を越えない範囲で略最高の値）のエネルギーを供給する。尚、噴霧量が略最大となった後は、噴霧量が維持される程度の高いエネルギーを供給する。
【００８９】
このように構成された頭皮ケア装置１では、制御部８４は、前記検出距離が大きくなっていく場合は、前記静電霧化装置３１へのエネルギーの供給の開始時、一時的に最高値のエネルギーを供給するため、図１６（ｃ）に示すように、帯電微粒子水（微細物質）の噴霧量を略最大まで短時間で増やすことができる。よって、具体的に上記第１３の実施の形態の効果と同様の効果を得ることができる。
【００９０】
（第１６の実施の形態）
以下、本発明を具体化した第１６の実施の形態を図１７に従って説明する。第１６の実施の形態の頭皮ケア装置１の機械的な構成は、上記第１０の実施の形態の頭皮ケア装置１と略同じである。
【００９１】
そして、本実施の形態の制御部８４は、具体的且つ容易に上記第１３の実施の形態の目標噴霧量に近い噴霧量となるように静電霧化装置３１に供給するエネルギー（電力）を制御する制御部８４を有するものである。詳しくは、制御部８４は、図１７（ｃ），（ｄ）に示すように、静電霧化装置３１へのエネルギーの供給時、そのエネルギーの量を徐々に（この例では連続的に）大きくしていく。
【００９２】
このように構成された頭皮ケア装置１では、静電霧化装置３１が供給されるエネルギーの立ち上がりに対して大きく応答して大量の帯電微粒子水（微細物質）を生成するような場合でも、それを抑えて、効果的に帯電微粒子水（微細物質）を噴霧する時間を高精度に制御することができる。詳しくは、例えば、供給するエネルギーが０の状態が続いている間（設定距離未満の間）に放電電極３２に結露した液体が溜まることで、供給されるエネルギーの立ち上がりに対して大きく応答して大量の帯電微粒子水（微細物質）が生成されるような場合（図１７（ａ），（ｂ）に示す特性を有する場合）でも、それを抑えることができる。よって、例えば、前記設定距離以上の時間帯における後半部分で液体が不足してしまうことをも防止することができる。これらのことから、上記特性（図１７（ａ），（ｂ）参照）を有する静電霧化装置３１を備えた頭皮ケア装置１においても、図１７（ｅ）に示すように、略均一な噴霧量で効果的に帯電微粒子水（微細物質）を噴霧する時間を高精度に制御することができる。
【００９３】
上記各実施の形態は、以下のように変更してもよい。
・上記第１０〜第１６の実施の形態の静電霧化装置３１は、他の微細物質生成手段（金属微粒子化装置４１や、液体霧化装置８１や、マイナスイオン発生装置８２）に置き換えて同様の制御を行うようにしてもよい。又、上記したいずれかの頭皮ケア装置１に、微細物質生成手段（静電霧化装置３１や、金属微粒子化装置４１や、液体霧化装置８１や、マイナスイオン発生装置８２）を複数（例えば、２つや３つや５つ等）並設して設けてもよい。
【００９４】
・上記実施の形態では、静電霧化装置３１は、放電電極３２を冷却することで該放電電極３２に液体を供給するペルチェ素子３４（液体供給冷却手段）を有するものとしたが、液体を供給する手段を他の手段としてもよい。例えば貯水タンクを有し該貯水タンクの水を放電電極３２に供給するものとしてもよい。
【００９５】
・上記実施の形態では、突起１４（施術子１５）が回転駆動される頭皮ケア装置１としたが、突起を駆動源の駆動力にて駆動させ、その突起を頭皮に接触させて頭皮をケアするものであれば、他の頭皮ケア装置に微細物質生成手段（静電霧化装置３１や金属微粒子化装置４１等）を設けて実施してもよい。例えば、単に突起を振動させるだけの構成の頭皮ケア装置に静電霧化装置３１を設けて実施してもよい。
【符号の説明】
【００９６】
１１ｂ…吐出口、１３…モータ（駆動源）、１４…突起、３１…静電霧化装置（微細物質生成手段）、３２…放電電極、３４…ペルチェ素子（液体供給冷却手段）、３５…放熱フィン（放熱部）、３６…送風部、４１…金属微粒子化装置（微細物質生成手段）、５１…膜、６１…水滴除去機構、６２…流路、７１…圧電素子（振動発生手段）、８１…液体霧化装置（微細物質生成手段）、８２…マイナスイオン発生装置（微細物質生成手段）、８３…距離検出部（距離検出手段）、８４…制御部、８５…噴霧量検出部（噴霧量検出手段）。
【図１】
2012066047.tif 000003
【図２】
2012066047.tif 000004
【図３】
2012066047.tif 000005
【図４】
2012066047.tif 000006
【図５】
2012066047.tif 000007
【図６】
2012066047.tif 000008
【図７】
2012066047.tif 000009
【図８】
2012066047.tif 000010
【図９】
2012066047.tif 000011
【図１０】
2012066047.tif 000012
【図１１】
2012066047.tif 000013
【図１２】
2012066047.tif 000014
【図１３】
2012066047.tif 000015
【図１４】
2012066047.tif 000016
【図１５】
2012066047.tif 000017
【図１６】
2012066047.tif 000018
【図１７】
2012066047.tif 000019